(57)【要約】【課題】胴周りの変化に対応して高い防寒性を確保しつつ、補助布を外しても邪魔にならない補助付きコートを提供する。【解決手段】補助布付きコート１は、前身頃２０と後身頃２１の中央部が左右に開閉自在なコート本体１０と、前身頃２０と後身頃２１の開閉部を覆うように、前身頃２０と後身頃２１に着脱自在な補助布１１と、を有している。補助布１１は、コート本体１０よりも伸縮性を有し、帯状に形成されている。補助布１１は、長手方向に二つ折り以上に折られた状態で前身頃２０と後身頃２１に着脱自在である。【選択図】図１
2014037663.tif 000002
【特許請求の範囲】
【請求項１】
前身頃又は後身頃の少なくとも一方の中央部が左右に開閉自在なコート本体と、
前記前身頃又は前記後身頃の少なくとも一方の開閉部を覆うように、前記前身頃又は前記後身頃に着脱自在な補助布と、を有し、
前記補助布は、前記コート本体よりも伸縮性を有し、帯状に形成されている、補助布付きコート。
【請求項２】
前記補助布は、長手方向に二つ折り以上に折られた状態で前記前身頃又は前記後身頃に着脱自在である、請求項１に記載の補助布付きコート。
【請求項３】
前記補助布は、上端又は下端の少なくとも一方を折り曲げた状態で前記前身頃又は前記後身頃に着脱自在である、請求項１又は２に記載の補助布付きコート。
【請求項４】
前記補助布は、前記前身頃又は前記後身頃に着脱するための着脱部を有し、前記着脱部は、前記補助布の幅方向の両縁に長手方向に沿って設けられている、請求項１〜３のいずれかに記載の補助布付きコート。
【請求項５】
前記前身頃又は前記後身頃には、その開閉部に沿って複数のボタンが設けられ、
前記着脱部は、前記ボタンがはめ込まれる複数のボタンホールである、請求項４に記載の補助布付きコート。
【請求項６】
少なくとも前記後身頃の中央部が開閉自在であり、
前記補助布は、前記後身頃の裏面側に着脱自在である、請求項１〜５のいずれかに記載の補助布付きコート。
【請求項７】
前記後身頃における前記補助布を着脱する着脱部は、前記後身頃の裏面側に設けられている、請求項６に記載の補助布付きコート。
【請求項８】
少なくとも前記後身頃の中央部が開閉自在であり、
前記後身頃の開閉部の上端部は、襟部に縫製されており、
前記後身頃の開閉部の上端部に近い位置には、左右の後身頃片を接合する接合部が設けられている、請求項１〜７のいずれかに記載の補助布付きコート。
【請求項９】
前身頃又は後身頃の少なくとも一方の中央部が左右に開閉自在なコートにおいて前記前身頃又は前記後身頃の少なくとも一方の開閉部を覆うように、前記前身頃又は前記後身頃に着脱自在であり、
前記コートよりも伸縮性を有し、帯状に形成された、補助布。
【請求項１０】
長手方向に二つ折り以上に折られた状態で前記前身頃又は前記後身頃に着脱自在である、請求項９に記載の補助布。
【請求項１１】
上端又は下端の少なくとも一方を折り曲げた状態で前記前身頃又は前記後身頃に着脱自在である、請求項１０に記載の補助布。
【請求項１２】
前記前身頃又は前記後身頃に着脱するための着脱部が、長手方向に沿って幅方向の両縁に設けられている、請求項９〜１１のいずれかに記載の補助布。
【請求項１３】
前記着脱部は、前記前身頃又は前記後身頃の開閉部に沿って設けられた複数のボタンがはめ込まれる複数のボタンホールである、請求項１２に記載の補助布。
【請求項１４】
前身頃又は後身頃の少なくとも一方の中央部が左右に開閉自在なコートにおいて前記前身頃又は前記後身頃の少なくとも一方の開閉部を覆うように、前記前身頃又は前記後身頃に着脱自在であり、
前記コートよりも伸縮性を有し、帯状に形成された、マフラー。
【発明の詳細な説明】
【技術分野】
【０００１】
本発明は、補助布付きコート、補助布及びマフラーに関する。
【背景技術】
【０００２】
従来より、抱っこ紐等を用いて乳児を抱っこ又はおんぶした状態で、乳児を覆うように着用する、一般にママコートとも呼ばれる補助布付きコートがある。このコートは、コート本体と、乳児を覆う部分のダッカーと呼ばれる補助布を備えている。補助布は、コート本体の前開きもしくは後ろ開き部分に装着される。このことによって、コートの胴回りが大きくなるので、ユーザは、乳児を抱っこしたまま、コートを着用できる（特許文献１〜３参照）。
【先行技術文献】
【特許文献】
【０００３】
【特許文献１】特開平１０−１３０９１４号公報
【特許文献２】特開２０１０−２５５１３１号公報
【特許文献３】特開２００６−１０４５９０号公報
【発明の概要】
【発明が解決しようとする課題】
【０００４】
ところで、抱っこ紐を用いて抱っこ又はおんぶした場合、その抱き方により胴回りの寸法が変わる。つまり、乳児の足が直立したような状態を基本姿勢とする抱き方の抱っこ紐と、親の腰に乳児の足が巻かれる状態を基本姿勢とする抱き方の抱っこ紐があり、後者の場合は、前者の場合に比べて胴周りのサイズが大きくなる。このため、従来の補助布付きコートでは、胴周りのサイズが大きくなる抱っこ紐にも対応できるように、補助布の幅を予め大きめにしている。この結果、胴周りのサイズが小さくなる抱っこ紐を用いた場合には、補助布と乳児との間に隙間ができやすく、コートの防寒性が低下することがあった。また、従来の補助布付きコートは、乳児の成長による胴回りのサイズの変化にも対応できていなかった。
【０００５】
また、従来の補助布付きコートは、補助布を外すことで、通常のコートとして使用可能なものもあるが、外出先で補助布を外したときなど、補助布が邪魔になることがあった。
【０００６】
本発明はかかる点に鑑みてなされたものであり、胴周りの変化に対応して高い防寒性を確保しつつ、補助布を外しても邪魔にならない、ママコートなどの補助付きコート、補助布及びマフラーを提供することをその目的とする。
【課題を解決するための手段】
【０００７】
上記目的を達成するための本発明は、前身頃又は後身頃の少なくとも一方の中央部が左右に開閉自在なコート本体と、前記前身頃又は前記後身頃の少なくとも一方の開閉部を覆うように、前記前身頃又は前記後身頃に着脱自在な補助布と、を有し、前記補助布は、前記コート本体よりも伸縮性を有し、帯状に形成されている、補助布付きコートである。なお、「中央部」は、真ん中である必要はなく、左右にずれているものも含まれる。
【０００８】
本発明によれば、補助布が伸縮するので、乳児の抱き方やおんぶの仕方による胴周りの変化に対応でき、補助布が乳児に密着することで隙間がなくなり、高い防寒性が得られる。また、補助布が、帯状に形成されているので、補助布を取り外した時にマフラーとして使用するができ、外した補助布が邪魔にならない。
【０００９】
前記補助布は、長手方向に二つ折り以上に折られた状態で前記前身頃又は前記後身頃に着脱自在であってもよい。かかる場合、補助布をコート本体から外して延ばすと長くなるので、マフラーとして利用しやすい。
【００１０】
前記補助布は、上端又は下端の少なくとも一方を折り曲げた状態で前記前身頃又は前記後身頃に着脱自在であってもよい。かかる場合、補助布の折り曲げて厚くなった部分で、乳児の頭或いは足の部分を覆うことができるので、コートの防寒性がさらに向上する。
【００１１】
前記補助布は、前記前身頃又は前記後身頃に着脱するための着脱部を有し、前記着脱部は、前記補助布の幅方向の両縁に長手方向に沿って設けられていてもよい。かかる場合、着脱部が補助布の両縁にあるので、補助布をマフラーとして使用する際に着脱部が気になったり邪魔になることを防止できる。
【００１２】
前記前身頃又は前記後身頃には、その開閉部に沿って複数のボタンが設けられ、前記着脱部は、前記ボタンがはめ込まれる複数のボタンホールであってもよい。
【００１３】
少なくとも前記後身頃の中央部が開閉自在であり、前記補助布は、前記後身頃の裏面側に着脱自在であってもよい。かかる場合、補助布が外側から見えにくくなり、外観上好ましい。
【００１４】
前記後身頃における前記補助布を着脱するための着脱部は、前記後身頃の裏面側に設けられていてもよい。かかる場合、後身頃側の着脱部が外側から見えなくなるので、乳児をおんぶしない場合に通常のコートと同じ外観が得られる。
【００１５】
少なくとも前記後身頃の中央部が開閉自在であり、前記後身頃の開閉部の上端部は、襟部に縫製されており、前記後身頃の開閉部の上端部に近い部分には、左右の後身頃片を接合する接合部が設けられていてもよい。乳児をおんぶして後身頃の開閉部が開かれたときに、開閉部の上端部が襟部を引っ張って縫製部が破損すると、専門ミシンで補修する必要がある。本発明によれば、後身頃の開閉部の上端部に近い部分に、左右の後身頃片を接合する接合部があるので、後身頃の開閉部が開かれたときに、その接合部に引っ張り力がかかる。これにより、縫製部が破損することを防止でき、その代わりに接合部が破損した場合には、ユーザにより補修ができる。
【００１６】
別の観点による本発明は、前身頃又は後身頃の少なくとも一方の中央部が左右に開閉自在なコートにおいて前記前身頃又は前記後身頃の少なくとも一方の開閉部を覆うように、前記前身頃又は前記後身頃に着脱自在であり、前記コートよりも伸縮性を有し、帯状に形成された、補助布である。
【００１７】
前記補助布は、長手方向に二つ折り以上に折られた状態で前記前身頃又は前記後身頃に着脱自在であってもよい。
【００１８】
また、前記補助布は、上端又は下端の少なくとも一方を折り曲げた状態で前記前身頃又は前記後身頃に着脱自在であってもよい。
【００１９】
前記前身頃又は前記後身頃に着脱するための着脱部が、長手方向に沿って幅方向の両縁に設けられていてもよい。
【００２０】
前記着脱部は、前記前身頃又は前記後身頃の開閉部に沿って設けられた複数のボタンがはめ込まれる複数のボタンホールであってもよい。
【００２１】
別の観点による本発明は、前身頃又は後身頃の少なくとも一方の中央部が左右に開閉自在なコートにおいて前記前身頃又は前記後身頃の少なくとも一方の開閉部を覆うように、前記前身頃又は前記後身頃に着脱自在であり、前記コートよりも伸縮性を有し、帯状に形成された、マフラーである。
【発明の効果】
【００２２】
本発明によれば、補助布が胴周りの変化に対応できるので高い防寒性を確保できる。また、補助布をマフラーとして使用できるので、補助布を外しても邪魔にならず、防寒性をさらに向上できる。
【図面の簡単な説明】
【００２３】
【図１】補助布付きコートの前面図である。
【図２】コート本体の前面図である。
【図３】コート本体の後面図である。
【図４】コート本体の後身頃の裏面を示す図である。
【図５】後身頃の襟部付近を示す図である。
【図６】補助布を示す図である。
【図７】二つ折りにした補助布を示す図である。
【図８】乳児を抱っこした際の補助布付きコートの使用例を示す図である。
【図９】乳児を抱っこしない場合の補助布付きコートの使用例を示す図である。
【図１０】後身頃に補助布を取り付けた状態を示す図である。
【図１１】乳児をおんぶした際の補助布付きコートの使用例を示す図である。
【図１２】補助布の上端を折り曲げた場合の補助布付きコートの使用例を示す図である。
【図１３】下端を折り曲げた補助布を示す図である。
【発明を実施するための形態】
【００２４】
以下、図面を参照して、本発明の好ましい実施の形態について説明する。図１は、本実施の形態にかかる補助布付きコート１の一例を示す正面図である。
【００２５】
図１に示すように補助布付きコート１は、例えばコート本体１０と補助布１１を有している。図２及び図３に示すようにコート本体１０は、一般的なコートと同じ構成を有し、前身頃２０、後身頃２１、襟部２２等を備えている。コート本体１０の前身頃２０は、例えば図２に示すように中央付近で左右に分かれる前身頃片３０、３１を有し、中央付近を開閉自在である。ユーザから見て右側の前身頃片３０には、複数のボタン４０が上下方向に等間隔で並べて取り付けられており、左側の前身頃片３１には、複数のボタンホール４１が上下方向に等間隔で並べて設けられている。右側の前身頃片３０のボタン４０を左側の前身頃片３１のボタンホール４１にはめ込んだり外すことによって、前身頃２０の中央を開閉できる。
【００２６】
また、左側の前身頃片３１には、複数のボタン５０が上下方向に並べて設けられている。ボタン５０は、ボタン４０と対応するようにボタン４０と同じ高さに設けられている。ボタン５０とボタン４０は、補助布１１を着脱するためのボタンとして機能する。
【００２７】
図３に示すように後身頃２１は、中央付近で左右に分かれる後身頃片６０、６１を有し、線ファスナー６２によって中央付近を開閉できる。線ファスナー６２は、例えば後身頃片６０、６１の重なり部分の内側に形成されており、閉めたときに外から見えないようになっている。図４に示すように左右の後身頃片６０、６１の裏面側には、着脱部としての複数のボタン７０、８０が上下方向に並べて等間隔で設けられている。ボタン７０とボタン８０は、互いに対応する位置に設けられている。このボタン７０、８０は、補助布１１を着脱するためのボタンとして機能する。
【００２８】
図５に示すように後身頃片６０、６１の上端部は、襟部２２に縫製されている。後身頃２１の開閉部の襟部２２に近い部分には、左右の後身頃片６０、６１を接合する接合部９０が設けられている。接合部９０として、左側の後身頃片６１の裏面側にボタン９１が取り付けられ、右側の後身頃片６０の表面側にボタンホール９２が取り付けられている。ボタン９１をボタンホール９２に嵌め込むことによって左右の後身頃片６０、６１を接合している。
【００２９】
図６に示す補助布１１は、コート本体１０よりも伸縮性を有するニットにより構成されている。補助布１１は、帯状に形成されている。補助布１１は、例えば長手方向に沿って幅が一定の長方形状を有している。補助布１１は、例えばコート本体１０の丈より長い１ｍ以上の長さを有している。
【００３０】
補助布１１の幅方向の両縁には、前身頃２０と後身頃２１に着脱するための着脱部としての複数のボタンホール１００が設けられている。ボタンホール１００は、長手方向に沿って前身頃２０のボタン４０、５０と後身頃２１のボタン７０、８０と同じ間隔の等間隔で形成されている。補助布１１は、例えば図７に示すように長手方向に二つ折りに折られた状態で前身頃２０と後身頃２１に着脱できる。
【００３１】
次に、補助布付きコート１の使用方法について説明する。図８には、乳児を抱っこしたときの使用状態を示す。先ず、図示しない抱っこ紐により乳児を抱っこし、その状態でコート本体１０を着衣する。次に、前身頃２０のボタン４０をボタンホール４１から外し前開きの状態で、補助布１１を前身頃２０にその開口部を覆うように取り付ける。このとき、補助布１１を二つ折りにして、前身頃２０のボタン４０、５０を補助布１１のボタンホール１００に嵌め込む。こうして、乳児が補助布付コート１により覆われる。なお、乳児をおんぶしない時には、後身頃２１の線ファスナー６２は閉じられている。
【００３２】
乳児を降ろす場合には、前身頃２０のボタン４０、５０から補助布１１を外す。乳児を降ろした後、例えば図９に示すようにコート本体１０を単体のコートとして使用し、取り外された補助布１１を首に巻いてマフラーとして使用する。
【００３３】
抱っこ紐により乳児をおんぶする際には、図１０に示すように後身頃２１の線ファスナー６２を開け、ボタン９１をボタンホール９２に嵌め込んで後身頃片６０、６１の上部を接合する。次に、補助布１１を二つ折りにした状態で、後身頃２１のボタン７０、８０を補助布１１のボタンホール１００に嵌め込んで、補助布１１を後身頃２１の裏面側に取り付ける。次に、図示しない抱っこ紐により乳児をおんぶし、図１１に示すように補助付きコート１を着衣する。こうして、乳児が補助布付コート１により覆われる。
【００３４】
本実施の形態によれば、補助布１１が伸びるので、乳児の抱き方やおんぶの仕方によるコートの胴周りの変化に対応でき、補助布が乳児に密着することで隙間がなくなり、高い防寒性が得られる。また、隙間がなくなることで、埃などの流入も抑制し、乳児に対する保護性も向上できる。また、補助布１１が、帯状に形成されているので、補助布１１を取り外した時にマフラーとして使用するができ、補助布１１が邪魔にならない。
【００３５】
補助布１１は、長手方向に二つ折りに折られた状態で前身頃２０と後身頃２１に着脱自在であるので、補助布１１をコート本体１０から外して延ばしたときに長くなり、マフラーとして利用しやすい。
【００３６】
補助布１１は、前身頃２０と後身頃２１に着脱するための着脱部であるボタンホール１００を有し、ボタンホール１００は、補助布１１の幅方向の両縁に長手方向に沿って設けられている。これにより、補助布１１をマフラーとして使用する際に着脱部が邪魔になることを防止できる。また、着脱部がボタンホール１００であるので、例えば補助布１１を二つ折りで着脱しやすくなる。
【００３７】
補助布１１は、後身頃２１の裏面側に着脱自在であるので、補助布１１が外側から見えにくくなり、外観上好ましい。また、後身頃２１の補助布１１を着脱するための着脱部であるボタン７０、８０は、後身頃２１の裏面側に設けられているので、後身頃２１側の着脱部が外側から見えなくなり、乳児をおんぶしない場合に通常のコートと同じ外観が得られる。
【００３８】
後身頃２１の開閉部の上端部は、襟部２２に縫製されており、後身頃２１の開閉部の上端部に近い部分には、左右の後身頃片６０、６１を接合する接合部９０が設けられている。乳児をおんぶして後身頃２１の開閉部が開かれたときに、開閉部の上端部が襟部２２を引っ張って縫製部が破損すると、専門ミシンで補修する必要がある。本実施の形態によれば、後身頃２１の開閉部の上端付近に、接合部９０があるので、後身頃２１の開閉部が開かれたときに、その接合部９０に引っ張り力がかかる。これにより、縫製部が破損することを防止でき、その代わりに接合部９０が破損した場合には、ユーザにより補修ができる。
【００３９】
以上の実施の形態において、図１２に示すように補助布１１は、上端１１ａを折り曲げた状態で前身頃２０や後身頃２１に着脱してもよい。かかる場合、補助布１１の上端１１ａを外側に折り曲げ、重なった補助布１１同士のボタンホール１００の位置を合わせ、前身頃２０や後身頃２１のボタンに取り付ける。こうすることにより、乳児の頭部付近の補助布１１が厚くなり、コート１の防寒性を向上できる。また首が十分に座っていない乳児に対し、頭部を支える効果もある。
【００４０】
また、図１３に示すように補助布１１の下端１１ｂを折り曲げ、その状態で前身頃２０や後身頃２１に着脱してもよい。かかる場合、乳児の足部付近の補助布１１が厚くなり、コート１の防寒性を向上できる。また、補助布１１の下端１１ｂを内側に折り曲げた場合には、例えば補助布１１の下部が袋となり、その袋に乳児の足を入れることができるので、コート１の防寒性を向上できる。
【００４１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４２】
例えば以上の実施の形態において、補助布１１は、二つ折りの状態で前身頃２０や後身頃２１に取り付けられていたが、三つ折り以上であってもよい。補助布１１は、ボタンによりコート本体１０に着脱可能であったが、線ファスナー、面ファスナー、点ファスナー、フックなどの他の手段により着脱可能であってもよい。また、補助布１１は、マフラーとして使用できるものであればよく、模様や飾りなどが付いていてもよい。また、形も、マフラーとして使用可能な帯状であれば、幅が若干変化するような形状であってもよい。さらに、補助布１１は、コート本体１０よりも伸縮性があれば、ニット生地に限られず、フィルム、ゴムなどの他の伸縮する素材であってもよい。
【００４３】
また、以上の実施の形態は、コート本体１０が前身頃２０と後身頃２１の両方に補助布１１を取り付けられるものであったが、どちらか一方のみ取り付けられるものであってもよい。また、コートは、男性用コートであってもよいし、女性用コートであってもよい。コートは、ユーザの下腹を覆うことができる長さのものが好ましいが、それに限られず、ジャケットタイプ、ブルゾンタイプ等のものであってもよい。また、コートは、フードを備えていてもよい。
【産業上の利用可能性】
【００４４】
本発明は、胴周りの変化に対応して高い防寒性を確保しつつ、補助布を外しても邪魔にならない補助布付きコートを提供する際に有用である。
【符号の説明】
【００４５】
１  補助布付きコート
１０  コート本体
１１  補助布
２０  前身頃
２１  後身頃
２２  襟部
４０、５０、７０、８０  ボタン
４１  ボタンホール
６２  線ファスナー
９０  接合部
１００  ボタンホール
【図１】
2014037663.tif 000003
【図２】
2014037663.tif 000004
【図３】
2014037663.tif 000005
【図４】
2014037663.tif 000006
【図５】
2014037663.tif 000007
【図６】
2014037663.tif 000008
【図７】
2014037663.tif 000009
【図８】
2014037663.tif 000010
【図９】
2014037663.tif 000011
【図１０】
2014037663.tif 000012
【図１１】
2014037663.tif 000013
【図１２】
2014037663.tif 000014
【図１３】
2014037663.tif 000015